(57)【特許請求の範囲】
【請求項１】
並行配置された一対の第１平面部を有する第１筐体部と、前記第１平面部の端部同士を接続する第１斜面部を有する第２筐体部とを備える筐体と、
並行配置された一対の第２平面部を有する第１ファンケース部と、前記第２筐体部間に前記第１斜面部に対向して配置された第２斜面部とを有する第２ファンケース部とを備え前記筐体内に配置されるファンケースと、
先端部が前記第２ファンケース部間に配置される羽根部を備え、前記ファンケース内に配置されるファンと
を具備することを特徴とする電子機器。
【請求項２】
前記ファンケースは前記ファンの少なくとも一部を囲むように設けられることを特徴とする請求項１に記載の電子機器。
【請求項３】
前記羽根部は、先端部が丸みを帯びた形状であることを特徴とする請求項１または２に記載の電子機器。
【請求項４】
前記羽根部は、前記第１斜面部の表面に沿う方向に並行する辺部を有することを特徴とする請求項１ないし３のいずれか１項に記載の電子機器。
【請求項５】
前記第１ファンケース部には前記ファンの駆動によって吸気が行われる吸気口が設けられ、前記吸気口から吸気された空気は、前記第２斜面部とは反対側から排気されることを特徴とする請求項１ないし４のいずれか１項に記載の電子機器。
【請求項６】
前記第２筐体部は前記電子機器の少なくとも周辺部の一部に設けられることを特徴とする請求項１ないし５のいずれか１項に記載の電子機器。
【発明の詳細な説明】
【技術分野】
【０００１】
本発明の実施形態は、電子機器に関する。
【背景技術】
【０００２】
近年、ノート型パーソナルコンピュータ（ノートＰＣ）等の電子機器は、小型化、薄型化が進んでいる。
また、小型化、薄型化を連想させる電子機器のデザインが好まれる傾向がある。
そして、デザイン上の観点からも、端部や周囲の厚さを薄くし、電子機器の薄さを強調したいという要求があった。
しかし、電子機器の端部や周囲の厚さを薄くすると、これらの薄くした電子機器の端部や周囲には、例えば、部品実装の観点からは、実装の妨げになるという問題があった。
【０００３】
このため、電子機器の端部や周囲の厚さを薄くした場合に、これらのスペースを有効利用することが課題になっていた。
【先行技術文献】
【特許文献】
【０００４】
【特許文献１】特開平５−４４６９７号公報
【特許文献２】特開２００１−２８４５１２号公報
【発明の概要】
【発明が解決しようとする課題】
【０００５】
電子機器の端部や周囲の厚さを薄くし、薄さを強調したいという要求があったが、実装の妨げになるという問題があった。
このため、端部や周囲の厚さを薄くしたスペースを有効利用することが課題になっていた。
【課題を解決するための手段】
【０００６】
実施形態の電子機器は、第１の厚さを備える第１筐体部および第２の厚さを備える第２筐体部を備える筐体を備える。
また、前記第１筐体部および第２筐体部に設けられ、第１の広さを備える第１ファンケース部および第２の広さを備える第２ファンケース部を備えるファンケースを備える。
【０００７】
また、第１の大きさを備える第１羽根部および第２の大きさを備える第２羽根部を備え、前記第２羽根部の少なくとも一部は前記第２ファンケース部に設けられるファンを備える。
【図面の簡単な説明】
【０００８】
【図１】実施形態に係わる電子機器の外観を示す外観図。
【図２】実施形態に係わる電子機器の電気的な構成を示すブロック図。
【図３】端部や周囲の厚さが薄くなった電子機器の構成を示す図。
【図４】実施形態に係わる電子機器の端部や周囲の厚さが薄くなった構造を示す図。
【図５】実施形態に係わる電子機器の他の例を示す図。
【図６】実施形態に係わる電子機器の他の例を示す図。
【図７】実施形態に係わる電子機器の他の例を示す図。
【発明を実施するための形態】
【０００９】
以下、図面を参照し、実施の形態を説明する。
図１は、実施形態に係わる電子機器の外観を示す外観図である。
符号１０は筐体、符号１１はキーボード、符号１２はタッチパッド、符号１３は表示装置、符号１００は電子機器（ノートＰＣ）である。
ここでは、実施の形態に係る電子機器の一例として、ノートＰＣ１００を用いて説明する。
なお、この実施の形態においては、電子機器１００はノートＰＣに限られず、スマートフォンやスレート端末等の端部や周囲の厚さが薄くなった他の電子機器に適用することも可能である。
【００１０】
図１に示すように、電子機器（ノートＰＣ）１００は、筐体１０にキーボード１１およびタッチパッド１２が設けられている。この筐体１０の内部には、電子機器（ノートＰＣ）１００を動作させるハードウェア等の電子部品が内蔵されている。
【００１１】
図２は、実施形態に係わる電子機器の電気的な構成を示すブロック図である。
図に示すように、電子機器（ノートＰＣ）１００は、キーボード１１からのキー入力を入力データに変換し、電子機器（ノートＰＣ）１００に入力するためのキーボードコントローラ２１を備えている。また、タッチパッド１２からの操作入力を入力データに変換し、電子機器（ノートＰＣ）１００に入力するためのタッチパッドコントローラ２２を備えている。
【００１２】
また、電子機器（ノートＰＣ）１００は、入出力制御部２６を有する。この入出力制御部２６は、キーボードコントローラ２１やタッチパッドコントローラ２２から入力されたデータを、制御部２７に備わるマイクロプロセッサ（ＣＰＵ）に転送するとともに、このＣＰＵの制御に応じて表示装置１３の出力動作とＨＤＤやＳＳＤ（SolidStateDrive）等の記憶装置２８の入出力動作を制御する。
【００１３】
なお、制御部２７には、ＯＳや各種アプリケーションがロードされ、ワーク領域としても使用されるＲＡＭ等からなるシステムメモリや、ＢＩＯＳ  ＲＯＭ等のメモリデバイスが含まれる。
【００１４】
また、入出力制御部２６に接続されているネットワークＩ／Ｆ２９は、インターネットやＬＡＮ（LocalAreaNetwork）等のネットワークを介して外部のサーバ（図示せず）等に接続するためのインターフェースである。電子機器（ノートＰＣ）１００は、このネットワークＩ／Ｆ２９を介して外部のサーバ等から所望のプログラムやコンテンツをダウンロードすることができる。
【００１５】
この実施の形態においては、上記のような電気的な構成から発生する熱を冷却する冷却ファンが、端部や周囲の厚さが薄くなった電子機器に、後述するように設けられる。
【００１６】
図３は、端部や周囲の厚さが薄くなった電子機器の構成を示す図である。
図３（ａ）は、この電子機器１００の断面図である。
符号１０ａは第１筐体部、符号１０ｂは第２筐体部である。
また、筐体１０には、例えば、上記電気的な構成を実行するための多くの電子部品が収容される。そして、筐体１０は、実質的に多くの領域を占める第１筐体部１０ａ、および、例えば、この第１筐体部１０ａの端部や周囲に設けられる第２筐体部を備えている。
【００１７】
この第１筐体部１０ａは、電子部品が収容できるように、少なくとも所定の厚さを備えている。
また、第２筐体部１０ｂは、例えば、デザイン上の観点から、電子機器の薄さを強調するため、端部や周囲の厚さを薄くしており、上記第１筐体部１０ａの所定の厚さよりも薄い、第２の厚さを備えている。
【００１８】
近年、部品実装の観点から、ファン（羽根）３１を、上記第１筐体部１０ａの端部や周囲に設けられる第２筐体部１０ｂに近寄せたいという要求がある。
このため、この第１筐体部１０ａの内部および、場合によっては、この第２筐体部１０ｂの内部の一部にファンケース３２が設けられている。
ファンケース３２は、例えば、ファン（羽根）３１と他の実装部品を隔離し、保護する役割と、ファン（羽根）３１から発生する風を所望の方向に導く役割がある。
しかし、この第２筐体部１０ｂの内部の一部に設けられたファンケース３２は、上記のように第２筐体部１０ｂの厚さが薄いため、第２筐体部１０ｂの内部に利用しにくいスペースができてしまう。
【００１９】
図３（ｂ）は、例えば、ファンケース３２の内部に設けられるファン（羽根）３１を上方向から見た図である。
図に示すように、このファンケース３２の内部には、このファン（羽根）３１の一部が、回転駆動可能に収容される。
これによって、例えば、ファン（羽根）３１の回転駆動により、符号４１を付すような筐体１０の上下方向からの吸気および、符号４２を付すような筐体１０内部に送風を行なうための排気が行なわれる。例えば、筐体１０内部には、図示しない冷却フィン（ＦＩＮ）が設けられ、電子機器１００の冷却が行なわれる。
【００２０】
図４は、実施形態に係わる電子機器の端部や周囲の厚さが薄くなった構造を示す図である。
図４（ａ）は、この実施の形態に係る電子機器１００の断面図である。
ここでは、例えば、図１に示すような電子機器（ノートＰＣ）１００を、符号３０を付す位置で切断し、図に示す矢印の方向から筐体１０を見たようすを示している。
【００２１】
符号１０ａは第１筐体部、符号１０ｂは第２筐体部である。
上記と同様に、この実施の形態に係る電子機器１００は、筐体１０を備えている。
この筐体１０は、多くの電子部品が収容され、実質的に多くの領域を占める第１筐体部１０ａ、および、例えば、この第１筐体部１０ａの端部や周囲に設けられる第２筐体部１０ｂを備えている。
【００２２】
この第１筐体部１０ａは、電子部品が収容できるように、少なくとも所定の厚さ（第１の厚さ）を備えている。
また、第２筐体部１０ｂは、例えば、デザイン上の観点から、電子機器の薄さを強調するため、端部や周囲の厚さを薄くしており、上記第１筐体部１０ａの所定の厚さ（第１の厚さ）よりも薄い、第２の厚さを備えている。
【００２３】
この実施の形態においては、ファン３１は第２筐体部１０ｂに近づけて設けられる。
そして、これらの第１筐体部１０ａおよび第２筐体部１０ｂの内部の一部には、ファンケース３２が設けられている。
このファンケース３２は、所定の容量である第１の広さを備える第１ファンケース部３２ａ、および上記第１の広さより狭い、第２の広さを備える第２ファンケース部３２ｂを備えている。
【００２４】
この第２ファンケース部３２ｂの形状は、例えば、上記第２筐体部１０ｂの形状に合わせ、上記第２の広さがなるべく多くの容量となるように、すなわち、第２筐体部１０ｂにおけるスペースが有効利用可能になるように、設けられる。
【００２５】
図４（ｂ）は、例えば、上記筐体１０内部に設けられるファン（羽根）３１を示す図である。
図に示すように、ファン（羽根）３１は、第１の大きさを備える第１羽根部３１ａ、および上記第１の大きさより小さい第２の大きさを備える第２羽根部３１ｂを備えている。
【００２６】
ファン（羽根）３１は、所定の大きさである第１の大きさを備える第１羽根部３１ａおよび上記第１の大きさより小さい第２の大きさを備える第２羽根部３１ｂを備えている。この第２羽根部３１ｂは、第１筐体部１０ａの端部や周囲に設けられる第２筐体部１０ｂの方向に伸び、少なくとも一部は、上記第２ファンケース部３２ｂに、回転駆動可能に設けられる。
【００２７】
これによって、上記と同様に、例えば、ファン（羽根）３１の回転駆動により、符号４１を付すような筐体１０の上下方向からの吸気および、符号４２を付すような筐体１０内部に送風を行なうための排気が行なわれ、電子機器１００の冷却が行なわれる。
【００２８】
また、これによって、筐体１０内部に送風する風量を増加させることが可能になる。
また、第２筐体部１０ｂにおけるスペースが有効に利用可能になる。
なお、この実施の形態の変形例として、例えば、上記ファン（羽根）３１は、上記第２羽根部３１ｂを特に設けず、上記第１羽根部３１ａをなるべく上記第２ファンケース部３２ｂに近づけることで、第２筐体部１０ｂにおけるスペースを有効に利用するように構成することも可能である。
【００２９】
図５は、実施形態に係わる電子機器の他の例を示す図である。
図５は、この実施の形態に係る電子機器１００の断面図であり、例えば、図１に示すような電子機器（ノートＰＣ）１００を、符号３０を付す位置で切断したようすを示している。
【００３０】
この実施の形態においては、ファン（羽根）３１の形状、特に、第２羽根部３１ｂに丸みを持たせている。
この実施の形態に係る電子機器１００は上記と同様に、筐体１０を備え、筐体１０は、多くの電子部品が収容され、実質的に多くの領域を占める第１筐体部１０ａ、および、例えば、この第１筐体部１０ａの端部や周囲に設けられる第２筐体部１０ｂを備えている。
【００３１】
この第１筐体部１０ａは、電子部品が収容できるように、少なくとも所定の厚さ（第１の厚さ）を備えている。
また、第２筐体部１０ｂは、端部や周囲の厚さを薄くしており、上記第１筐体部１０ａの所定の厚さ（第１の厚さ）よりも薄い、第２の厚さを備えている。
この実施の形態においても、ファン３１は第２筐体部１０ｂに近づけて設けられる。
そして、これらの第１筐体部１０ａおよび第２筐体部１０ｂの内部の一部には、ファンケース３２が設けられている。
このファンケース３２は、所定の容量である第１の広さを備える第１ファンケース部３２ａ、および上記第１の広さより狭い、第２の広さを備える第２ファンケース部３２ｂを備えている。
【００３２】
この第２ファンケース部３２ｂの形状は、例えば、上記第２筐体部１０ｂの形状に合わせ、上記第２の広さがなるべく多くの容量となるように、すなわち、第２筐体部１０ｂにおけるスペースをなるべく有効に利用できるように、設けられる。
【００３３】
そして、上記と同様に、丸みを持たせた第２羽根部３１ｂは、第１筐体部１０ａの端部や周囲に設けられる第２筐体部１０ｂの方向に伸び、少なくとも一部は、上記第２ファンケース部３２ｂに、回転駆動可能に設けられる。
【００３４】
これによって、筐体１０内部に送風する風量を増加させることが可能になる。また、第２筐体部１０ｂにおけるスペースが有効に利用可能になる。
図６は、実施形態に係わる電子機器の他の例を示す図である。
図６は、この実施の形態に係る電子機器１００の断面図であり、例えば、図１に示すような電子機器（ノートＰＣ）１００を、符号３０を付す位置で切断したようすを示している。
【００３５】
この実施の形態においては、図に示すように、第１筐体部１０ａの端部や周囲に設けられる第２筐体部１０ｂは、電子機器１００の底側を絞った形状になっている。
そして、電子機器１００の筐体１０には、多くの電子部品が収容される。筐体１０は、上記と同様に、実質的に多くの領域を占める第１筐体部１０ａ、および、例えば、この第１筐体部１０ａの端部や周囲に設けられる第２筐体部１０ｂを備えている。
【００３６】
そして、第１筐体部１０ａは、電子部品が収容できるように所定の厚さ（第１の厚さ）を備えており、また、第２筐体部１０ｂは、端部や周囲の厚さが上記第１筐体部１０ａの所定の厚さ（第１の厚さ）よりも薄い、第２の厚さを備えている。
【００３７】
ここでは、上記のように、電子機器１００の端部や周囲において、底側を絞った形状になっている。
この実施の形態においても、ファン３１は第２筐体部１０ｂに近づけて設けられる。
そして、これらの第１筐体部１０ａおよび第２筐体部１０ｂの内部の一部には、ファンケース３２が設けられている。
このファンケース３２は、所定の容量である第１の広さを備える第１ファンケース部３２ａ、および上記第１の広さより狭い、第２の広さを備える第２ファンケース部３２ｂを備えている。
【００３８】
この第２ファンケース部３２ｂの形状は、例えば、上記第２筐体部１０ｂの形状に合わせ、上記第２の広さがなるべく多くの容量となるように、すなわち、第２筐体部１０ｂにおけるスペースをなるべく有効に利用できるように、設けられる。
【００３９】
そして、第２羽根部３１ｂは、第２筐体部１０ｂの方向に伸び、少なくとも一部は上記第２ファンケース部３２ｂに回転駆動可能に設けられる。
これによって、筐体１０内部に送風する風量を増加させることが可能になる。
また、第２筐体部１０ｂにおけるスペースが有効に利用可能になる。
図７は、実施形態に係わる電子機器の他の例を示す図である。
この実施の形態においては、上記図４（ｂ）と同様に、例えば、筐体１０内部に設けられるファン（羽根）３１は、第１の大きさを備える第１羽根部３１ａ、および第１の大きさより小さい第２の大きさを備える第２羽根部３１ｂを備えている。
【００４０】
すなわち、ファン（羽根）３１は、第１羽根部３１ａおよび第１の大きさより小さい第２羽根部３１ｂを備えている。
この第２羽根部３１ｂを備えることにより、図に示すように、第１筐体部１０ａ側に実装に使用可能なスペースを設けることが可能になる。
そして、これによって、このスペースには、例えば、符号７０を付した電子基板を設けることが可能になり、電子機器１００の実装密度を向上させることが可能になる。
【００４１】
また、このスペースには、上記電子基板７０の他に、冷却フィン（ＦＩＮ）等、他の電子部品を設けることも可能であり、同様に、電子機器１００の実装密度を向上させることが可能になる。
【００４２】
上記のように構成することによって、この発明の実施の形態においては、電子機器筐体の端部や周囲の厚さを薄くした場合においても、これらのスペースの一部にファンを設けることが可能になり、スペースを有効に利用することが可能になる。
【００４３】
なお、上記実施形態は、記述そのものに限定されるものではなく、実施段階では、その趣旨を逸脱しない範囲で、構成要素を種々変形して具体化することが可能である。
【００４４】
また、上記実施形態に開示されている複数の構成要素の適宜な組み合せにより種々の発明を形成できる。
例えば、実施形態に示される全構成要素から幾つかの構成要素を削除してもよい。
更に、異なる実施形態に亘る構成要素を適宜組み合せてもよい。
【００４５】
付記
［１］第１の厚さを備える第１筐体部および第２の厚さを備える第２筐体部を備える筐体と、
前記第１筐体部および第２筐体部に設けられ、第１の広さを備える第１ファンケース部および第２の広さを備える第２ファンケース部を備えるファンケースと、
第１の大きさを備える第１羽根部および第２の大きさを備える第２羽根部を備え、前記第２羽根部の少なくとも一部は前記第２ファンケース部に設けられるファンを備える電子機器。
［２］前記ファンケースは前記ファンの少なくとも一部を囲むように設けられる［１］に記載の電子機器。
［３］前記筐体の前記第２の厚さは前記第１の厚さより薄い［１］に記載の電子機器。
［４］前記ファンケースは前記第１筐体部および前記第２筐体部の内部に設けられる［１］に記載の電子機器。
［５］前記ファンケースの前記第２の広さは前記第１の広さより狭い［１］に記載の電子機器。
［６］前記ファンの第２の大きさは前記第１の大きさより小さい［１］に記載の電子機器。
［７］前記第２筐体部は前記電子機器の少なくとも周辺部の一部に設けられる［１］に記載の電子機器。
［８］前記第２筐体部に前記第２ファンケースの一部が設けられ、前記第２ファンケースの一部に前記第２羽根部が設けられる［１］に記載の電子機器。
［９］第１の厚さを備える第１筐体部および第２の厚さを備える第２筐体部を備える筐体と、
前記第１筐体部および第２筐体部に設けられ、第１の広さを備える第１ファンケース部および第２の広さを備える第２ファンケース部を備えるファンケースと、
羽根部を備え、前記羽根部の少なくとも一部は前記第２ファンケース部に設けられるファンを備える電子機器。
【符号の説明】
【００４６】
１０…筐体、１０ａ…第１筐体部（中央領域）、１０ｂ…第２筐体部（端部または周囲領域）、３１…ファン（羽根）、３１ａ…第１羽根部、３１ｂ…第２羽根部、３２…ファンケース、３２ａ…第１ファンケース部、３２ｂ…第２ファンケース部、１００…電子機器（ノートＰＣ）。
【図１】
0005380596.tif 000002
【図２】
0005380596.tif 000003
【図３】
0005380596.tif 000004
【図４】
0005380596.tif 000005
【図５】
0005380596.tif 000006
【図６】
0005380596.tif 000007
【図７】
0005380596.tif 000008